(57)【要約】      （修正有）【課題】ローラーと支持棒を有するローラー刷毛に挿入することができ、小さい管径でもローラーと支持棒との回転を自在にさせることができるローラー刷毛の内部部品を提供する。【解決手段】ローラー４内に挿入できるハウジング１と、ハウジング１に挿入され、その中心の軸穴を支持棒５が貫通可能な芯部材２と、ハウジング１内に芯部材２を閉じ込め、その中心の軸穴を支持棒５が貫通可能な塞ぎ部材３を含む。ハウジング１の後端には、ローラー４とハウジング１を緊密に鍵状に接触可能にする鍵状突起部６を設け、前端には、内部部品の前端をローラー４の内部に導くための、先細形状の口部からなるガイド部８を設ける。【選択図】図２
0003170697.tif 000002
【実用新案登録請求の範囲】
【請求項１】
芯部を後で組み込んだローラー刷毛の内部部品であって、
それは、ハウジングと、ローラの芯部材と、塞ぎ部材を含み、前記ハウジングは、均一に分布した凸部を設けており、前記ハウジングの前端は、ガイド部を設けることを特徴とする芯部を後で組み込んだローラー刷毛の内部部品。
【請求項２】
前記ハウジングは、均一に分布した凸部を設けており、当該凸部の形状、高度と数量は実際の生産によって変化することができることを特徴とする請求項１記載の芯部を後で組み込んだローラー刷毛の内部部品。
【請求項３】
前記ハウジングと前記塞ぎ部材は、様々な色を選ぶことできることを特徴とする請求項１記載の芯部を後で組み込んだローラー刷毛の内部部品。
【考案の詳細な説明】
【技術分野】
【０００１】
本考案は、塗料を塗装するためのローラー刷毛の内部部品に関する。
【背景技術】
【０００２】
現在の労働者にとって、よく使用されている塗装具は、ローラーブラシである。当該ローラーブラシは、主にローラーと支持棒で組み合わされている。当該支持棒の一端は、当該ローラーの軸孔に挿入し、当該ローラーに対して回転でき、それにより、塗料を壁面に塗装させることができる。塗装作業中において、現れやすいことは、ローラーの回転が柔軟でなくなり、支柱から滑りおちたり、当該ローラーの内径が、より小さくなる場合、内部部品の構造が、複雑となれば、ローラーの内部に組み立てることは困難になるため、優れた回転効果を達することができないかもれしれない。それにより、塗料を塗装している労働者の仕事効率に対して、不利な影響をもたらし、即ち、現行のローラーの内部部品は、高い要求を満足させることができない。
【考案の概要】
【考案が解決しようとする課題】
【０００３】
本考案は、たとえより小さい管径となってもローラーと支持棒との回転を自在にさせることができ、またその構造が合理的で生産コストも削減できるローラーの内部部品を提供する。
【課題を解決するための手段】
【０００４】
本考案の目的は、下記の技術的構成で実現する。
芯部を後で組み込んだローラー刷毛の内部部品であって、それは、ハウジングと、ローラの芯部材と、塞ぎ部材を含み、前記ハウジングは、均一に分布した凸部を設けており、当該凸部は、緊密でローラーの内壁に合せて、位置付けられることができる。同時に、前記ハウジングの前端は、ガイド部を設けて、当該ガイド部は、部品の前端を楽にローラーの内部に導かせるため、落ちにくくとなっており、しかもぐらぐらしない。機械化の加工過程中において、その作用効果が顕著である。前記ローラの芯部材は、後端から挿入し、前記塞ぎ部材で緊密に塞ぐ。それにより、前記支持棒は、いったん中心の軸穴から挿入されてから、当該ローラーは、容易に当該支持棒から滑りおちない。当該塞ぎ部材は、固定作用を果たすことができるだけではなく、また美観作用を果たすことができる。既存のローラーの内部部品は、その色が比較的単一で、本考案に係わるローラーの内部部品は、そのハウジングと塞ぎ部材がそれぞれ独立で組み立たれられる部品であるため、両者はクライアントの要求によって異なる色を組み合わせることができる。
【考案の効果】
【０００５】
本考案に係わる工具は、その設計が合理的で、その構造も簡単で、外観の設計が、美しく流行的で、更に機械化の生産に適応することができる。一般のローラーの内部部品と比べると、生産効率は1〜3倍以上を高めた。
【図面の簡単な説明】
【０００６】
【図１】図１は、本考案に係わる構造を示す断面図である。
【図２】図２は、本考案の使用状態を示す図である。
【考案を実施するための形態】
【０００７】
図１に示すように、芯部を後で組み込んだローラー刷毛の内部部品は、ハウジング１と、ローラの芯部材２と、塞ぎ部材３を含み、前記ローラの芯部材２は、後端から前記ハウジング１に挿入し、その後、前記塞ぎ部材３でしっかりと塞ぐ。
【０００８】
実際の使用過程中について、図２を参照する。本考案に係わる各々の部品を組み立て、使用する際、圧力で当該内部部をローラー４に導き、そして支持棒５を中心の軸穴から挿入させて、当該ローラーを当該支持棒と完璧に一体化させる。
【０００９】
本考案に係わる工具は、その設計が合理的で、その構造も簡単で、外観の設計が、美しく流行的で、更に機械化の生産に適応することができる。一般のローラーの内部部品と比べると、生産効率は1〜3倍以上に高めた。
【符号の説明】
【００１０】
１  ハウジング
２  ローラの芯部材
３  塞ぎ部材
４  ローラー
５  支持棒
【図１】
0003170697.tif 000003
【図２】
0003170697.tif 000004
【手続補正書】
【提出日】平成23年6月8日(2011.6.8)
【手続補正１】
【補正対象書類名】実用新案登録請求の範囲
【補正対象項目名】全文
【補正方法】変更
【補正の内容】
【実用新案登録請求の範囲】
【請求項１】
芯部（９）を後で組み込んだローラー刷毛の内部部品であって、それは、ハウジング（１）と、ローラ（４）の芯部材（２）と、塞ぎ部材（３）を含み、前記ハウジング（１）は、後端（１０）の口部周りに鍵状突起部（６）を設けており、前記ハウジング（１）の前端（７）は、先細形状の口部からなるガイド部（８）を設けることを特徴とする芯部（９）を後で組み込んだローラー刷毛の内部部品。
【請求項２】
前記ハウジング（１）は、後端（１０）の口部周りに鍵状突起部（６）を設けており、当該鍵状突起部（６）の形状、高さと数量は実際の生産によって変化することができることを特徴とする請求項１記載の芯部（９）を後で組み込んだローラー刷毛の内部部品。
【請求項３】
前記ハウジング（１）と前記塞ぎ部材（３）は、様々な色を選ぶことができることを特徴とする請求項１記載の芯部（９）を後で組み込んだローラー刷毛の内部部品。
【手続補正２】
【補正対象書類名】明細書
【補正対象項目名】全文
【補正方法】変更
【補正の内容】
【考案の詳細な説明】
【技術分野】
【０００１】本考案は、塗料を塗装するためのローラー刷毛の内部部品に関する。
【背景技術】
【０００２】  現在の労働者にとって、よく使用されている塗装具は、ローラーブラシである。当該ローラーブラシは、主にローラーと支持棒で組み合わされている。当該支持棒の一端は、当該ローラーの軸孔に挿入し、当該ローラーに対して回転でき、それにより、塗料を壁面に塗装させることができる。塗装作業中において、現れやすいことは、ローラーの回転が柔軟でなくなり、支柱から滑りおちたり、当該ローラーの内径が、より小さくなる場合、内部部品の構造が、複雑となれば、ローラーの内部に組み立てることは困難になるため、優れた回転効果を達することができないかもれしれない。それにより、塗料を塗装している労働者の仕事効率に対して、不利な影響をもたらし、即ち、現行のローラーの内部部品は、高い要求を満足させることができない。
【考案の概要】
【考案が解決しようとする課題】
【０００３】  本考案は、たとえより小さい管径となってもローラーと支持棒との回転を自在にさせることができ、またその構造が合理的で生産コストも削減できるローラーの内部部品を提供する。
【課題を解決するための手段】
【０００４】  本考案の目的は、下記の技術的構成で実現する。芯部９を後で組み込んだローラー刷毛の内部部品であって、それは、ハウジング１と、ローラ４の芯部材２と、塞ぎ部材３を含み、前記ハウジングは、後端１０の口部周りに鍵状突起部６を設けており、当該鍵状突起部は、緊密でローラーの内壁に合せて、位置付けられることができる。当該鍵状突起部の形状、高さと数量は実際の生産によって変化することができる。同時に、前記ハウジングの前端７は、先細形状の口部からなるガイド部８を設けて、当該ガイド部は、部品の前端を楽にローラー４の内部に導かせるため、落ちにくくなっており、しかもぐらぐらしない。機械化の加工過程中において、その作用効果が顕著である。前記ローラの芯部材は、後端から挿入し、前記塞ぎ部材で緊密に塞ぐ。それにより、支持棒５は、いったん中心の軸穴から挿入されてから、当該ローラー４は、容易に当該支持棒から滑りおちない。当該塞ぎ部材は、固定作用を果たすことができるだけではなく、また美観作用を果たすことができる。既存のローラーの内部部品は、その色が比較的単一で、本考案に係わるローラーの内部部品は、そのハウジングと塞ぎ部材がそれぞれ独立で組み立たれられる部品であるため、両者はクライアントの要求によって異なる色を組み合わせることができる。
【考案の効果】
【０００５】  本考案に係わる工具は、その設計が合理的で、その構造も簡単で、外観の設計が、美しく流行的で、更に機械化の生産に適応することができる。一般のローラーの内部部品と比べると、生産効率は1〜3倍以上を高めた。
【図面の簡単な説明】
【０００６】
【図１】図１は、本考案に係わる構造を示す断面図である。
【図２】図２は、本考案の使用状態を示す図である。
【考案を実施するための形態】
【０００７】  図１に示すように、芯部９を後で組み込んだローラー刷毛の内部部品は、ハウジング１と、ローラの芯部材２と、塞ぎ部材３を含み、前記ローラの芯部材２は、後端から前記ハウジング１に挿入し、その後、前記塞ぎ部材３でしっかりと塞ぐ。
【０００８】  実際の使用過程中について、図２を参照する。本考案に係わる各々の部品を組み立て、使用する際、圧力で当該内部部をローラー４に導き、そして支持棒５を中心の軸穴から挿入させて、当該ローラーを当該支持棒と完璧に一体化させる。
【０００９】  本考案に係わる工具は、その設計が合理的で、その構造も簡単で、外観の設計が、美しく流行的で、更に機械化の生産に適応することができる。一般のローラーの内部部品と比べると、生産効率は1〜3倍以上に高めた。
【符号の説明】
【００１０】１  ハウジング２  ローラの芯部材３  塞ぎ部材４  ローラー５  支持棒６  鍵状突起部７  ハウジングの前端８  ガイド９  芯部１０  後端 
【手続補正３】
【補正対象書類名】図面
【補正対象項目名】全図
【補正方法】変更
【補正の内容】
【図１】
0003170697.tif 000005
【図２】
0003170697.tif 000006
【手続補正書】
【提出日】平成23年8月1日(2011.8.1)
【手続補正１】
【補正対象書類名】実用新案登録請求の範囲
【補正対象項目名】全文
【補正方法】変更
【補正の内容】
【実用新案登録請求の範囲】
【請求項１】
ローラー刷毛の内部部品であって、
ローラー刷毛は、内部部品以外に、ローラー（４）と支持棒（５）を要素として有し、
該内部部品は、あとでローラー（４）内に挿入することができ、
該内部部品の構成は、
ローラー（４）内に挿入できるハウジング（１）と、
ハウジング（１）の後端（１０）からハウジング（１）内に挿入され、その中心の軸穴を支持棒（５）が後で貫通できる芯部材（２）と、
該芯部材のハウジング内への挿入後にハウジング（１）の後端（１０）からハウジング（１）内に挿入され、ハウジング（１）内にローラーの芯部材（２）を閉じ込め、その中心の軸穴を支持棒（５）が後で貫通できる塞ぎ部材（３）を含み、
前記ハウジング（１）は、後端（１０）の口部周りに、内部部品をあとでローラー（４）内に挿入する際に、ローラー（４）の円筒形状に合わせて位置づけられ、ローラー（４）の円筒一端部を受け止めてローラー（４）とハウジング（１）を緊密に鍵状に接触可能にする鍵状突起部（６）を設けており、
前記ハウジング（１）の前端（７）は、該内部部品の前端（７）をローラー（４）の内部に導くことを容易にするために、先細形状の口部からなるガイド部（８）を設けることを特徴とするローラー刷毛の内部部品。
【請求項２】
前記ハウジング（１）は、後端（１０）の口部周りに鍵状突起部（６）を設けており、当該鍵状突起部（６）の形状、高さと数量は実際の生産によって変化することができることを特徴とする請求項１記載のローラー刷毛の内部部品。
【請求項３】
前記ハウジング（１）と前記塞ぎ部材（３）は、様々な色を選ぶことができることを特徴とする請求項１記載のローラー刷毛の内部部品。
【手続補正２】
【補正対象書類名】明細書
【補正対象項目名】全文
【補正方法】変更
【補正の内容】
【考案の詳細な説明】
【技術分野】
【０００１】
本考案は、塗料を塗装するためのローラー刷毛の内部部品に関する。
【背景技術】
【０００２】
現在の労働者にとって、よく使用されている塗装具は、ローラーブラシである。当該ローラーブラシは、主にローラーと支持棒で組み合わされている。当該支持棒の一端は、当該ローラーの軸孔に挿入し、当該ローラーに対して回転でき、それにより、塗料を壁面に塗装させることができる。塗装作業中において、現れやすいことは、ローラーの回転が柔軟でなくなり、支柱から滑りおちたり、当該ローラーの内径が、より小さくなる場合、内部部品が、複雑となれば、ローラーの内部に組み立てることは困難になるため、優れた回転効果を達することができないかもれしれない。それにより、塗料を塗装している労働者の仕事効率に対して、不利な影響をもたらし、即ち、現行のローラーの内部部品は、高い要求を満足させることができない。
【考案の概要】
【考案が解決しようとする課題】
【０００３】
本考案は、たとえより小さい管径となってもローラーと支持棒との回転を自在にさせることができ、またその構造が合理的で生産コストも削減できるローラーの内部部品を提供する。
【課題を解決するための手段】
【０００４】
本考案の目的は、下記の技術的構成で実現する。
本考案は、ローラー刷毛の内部部品に関し、ローラー刷毛は内部部品と支持棒（５）とローラー（４）から構成される。
内部部品の芯部（９）を、ローラー（４）内に後で組み込む、ローラー刷毛の内部部品であって、それは、ハウジング（１）と、ローラーの芯部材（２）と、塞ぎ部材（３）を含み、前記ハウジング（１）は、後端（１０）の口部周りに鍵状突起部（６）を設けており、当該鍵状突起部（６）は、緊密でローラー（４）の筒壁に合せて、位置付けられることができる。当該鍵状突起部（６）の形状、高さと数量は実際の生産によって変化することができる。同時に、前記ハウジング（１）の前端（７）は、先細形状の口部からなるガイド部（８）を設けて、当該ガイド部（８）は、内部部品の前端（７）を楽にローラー（４）の内部に導かせるため、落ちにくくなっており、しかもぐらぐらしない。機械化の加工過程中において、その作用効果が顕著である。前記ローラーの芯部材（２）は、後端（１０）から挿入し、前記塞ぎ部材（３）で緊密に塞ぐ。それにより、支持棒（５）は、いったん中心の軸穴から挿入されてから、当該ローラー（４）は、容易に当該支持棒（５）から滑りおちない。当該塞ぎ部材（３）は、固定作用を果たすことができるだけではなく、また美観作用を果たすことができる。既存のローラー刷毛の内部部品は、その色が比較的単一で、本考案に係わるローラー刷毛の内部部品は、そのハウジング（１）と塞ぎ部材（３）がそれぞれ独立で組み立たれられる部品であるため、両者はクライアントの要求によって異なる色を組み合わせることができる。
【考案の効果】
【０００５】
本考案に係わる工具は、その設計が合理的で、その構造も簡単で、外観の設計が、美しく流行的で、更に機械化の生産に適応することができる。一般のローラーの内部部品と比べると、生産効率は1〜3倍以上を高めた。
【図面の簡単な説明】
【０００６】
【図１】図１は、本考案に係わる内部部品を示す断面図である。
【図２】図２は、本考案の使用状態を示す図である。
【考案を実施するための形態】
【０００７】
図１に示すように、内部部品の芯部（９）を、ローラ（４）内に後で組み込む。ローラー刷毛の内部部品は、ハウジング（１）と、ローラーの芯部材（２）と、塞ぎ部材（３）を含み、前記ローラの芯部材（２）は、後端（１０）から前記ハウジング（１）に挿入し、その後、前記塞ぎ部材（３）でしっかりと塞ぐ。ローラー刷毛は、内部部品とローラー（４）と支持棒（５）によって構成される。
【０００８】
実際の使用過程中について、図２を参照する。本考案に係わる各々の部品を組み立て、使用する際、圧力で当該内部部品をローラー（４）内に導き、ローラ（４）の一端を内部部品の後端部（１０）の口部周辺に位置する鍵状突起部と緊密に鍵状に接触させ、そして支持棒（５）を内部部品の中心の軸穴から挿入・貫通させて、当該ローラーを当該支持棒と完璧に一体化させる。
【０００９】
本考案に係わる工具は、その設計が合理的で、その構造も簡単で、外観の設計が、美しく流行的で、更に機械化の生産に適応することができる。一般のローラーの内部部品と比べると、生産効率は1〜3倍以上に高めた。
【符号の説明】
【００１０】
１  ハウジング
２  ローラの芯部材
３  塞ぎ部材
４  ローラー
５  支持棒
６  鍵状突起部
７  ハウジングの前端
８  ガイド
９  芯部
１０  後端